(57)【要約】【課題】データの一覧性を確保しつつ、操作者が意図する観点でデータを整理することができる表示装置及び画像表示システムを提供する。【解決手段】医療用データに基づく簡易画像Ｍがマトリクス状に配置された一覧Ｘが表示される表示画面３１ａを備え、この表示画面３１ａには、前記医療用データのうち、フォルダに入れられたデータに基づく画像であることを示すフォルダアイコンＦＩが表示される。前記一覧Ｘが表示された表示画面３１ａには、フォルダブラウザウィンドウＦＢＷが表示され、簡易画像Ｍをドラッグアンドドロップしてフォルダ内に入れることができる。【選択図】図１１
2014130396.tif 000002
【特許請求の範囲】
【請求項１】
医療用のデータに基づく画像がマトリクス状に配置された一覧が表示される表示部を備え、
前記医療用のデータには、フォルダに入れられたデータが含まれており、
前記表示部には、前記一覧の画像のうち、フォルダに入れられたデータに基づく画像を、フォルダに入れられていない画像と識別しうるインジケータが表示される
ことを特徴とする表示装置。
【請求項２】
複数の属性の付随情報をメタデータとして有するデータに基づく画像の一覧であって、前記画像が、行方向において一の属性の付随情報毎に配置されるとともに、列方向において他の属性の付随情報毎に配置されたマトリクス状の一覧が表示される表示部を備え、
前記医療用のデータには、フォルダに入れられたデータが含まれており、
前記表示部には、前記一覧の画像のうち、フォルダに入れられたデータに基づく画像を、フォルダに入れられていない画像と識別しうるインジケータが表示される
ことを特徴とする表示装置。
【請求項３】
前記表示部に表示された一覧において前記画像を指定して、前記フォルダに前記データを入れる入力を行なう入力部を備えることを特徴とする請求項１又は２に記載の表示装置。
【請求項４】
前記一覧が表示された表示部には、前記入力部によって、前記フォルダに前記データを入れる入力を行なう入力画面が表示されることを特徴とする請求項３に記載の表示装置。
【請求項５】
前記入力画面は、前記データが入れられたフォルダの一覧を含むウィンドウであることを特徴とする請求項４に記載の表示装置。
【請求項６】
前記フォルダにデータを入れる入力は、前記一覧の画像を、操作者が前記入力部を用いて前記フォルダにドラッグアンドドロップすることである
ことを特徴とする請求項５に記載の表示装置。
【請求項７】
前記フォルダへのドラッグアンドドロップにより、前記フォルダにドラッグアンドドロップされた画像のデータをサーバから読み出すための特定情報と、フォルダ名とを対応付けるテーブルが作成される
ことを特徴とする請求項６に記載の表示装置。
【請求項８】
前記一覧が表示された表示部には、前記フォルダのフォルダ名が表示されることを特徴とする請求項１〜７のいずれか一項に記載の表示装置。
【請求項９】
操作者により、前記インジケータを指示する入力が行われると、該インジケータに対応するフォルダのフォルダ名が前記表示部に表示されることを特徴とする請求項８に記載の表示装置。
【請求項１０】
前記一覧が表示された表示部には、同じフォルダに入れられたデータに基づく画像が含まれるウィンドウが表示されることを特徴とする請求項１〜９のいずれか一項に記載の表示装置。
【請求項１１】
操作者により、前記インジケータを指示する入力が行われると、該インジケータに対応する同じフォルダに入れられた画像が含まれるウィンドウが前記表示部に表示されることを特徴とする請求項１０に記載の表示装置。
【請求項１２】
前記フォルダは、階層構造になっていることを特徴とする請求項１〜９のいずれか一項に記載の表示装置。
【請求項１３】
前記フォルダに入れられたデータをサーバから読み出すための特定情報と、フォルダ名とを対応付けたテーブルを記憶する記憶部を備えることを特徴とする請求項１〜１２のいずれか一項に記載の表示装置。
【請求項１４】
前記表示部には、前記フォルダに入れられたデータに基づく画像と前記フォルダとを含む画像が表示されることを特徴とする請求項１〜１３のいずれか一項に記載の表示装置。
【請求項１５】
前記表示部には、前記フォルダに入れられたデータに基づく画像と前記フォルダとを含む前記画像において、操作者によって指定された画像が作成された元のデータに基づく原画像が表示されることを特徴とする請求項１４に記載の表示装置。
【請求項１６】
前記画像は、患者ごとに分類されていることを特徴とする請求項１４又は１５に記載の表示装置。
【請求項１７】
前記フォルダに入れられたデータに基づく画像と前記フォルダとを含む前記画像において、操作者によって指定された患者についての前記一覧が、前記表示部に表示されることを特徴とする請求項１６に記載の表示装置。
【請求項１８】
請求項１〜１７のいずれか一項に記載の表示装置と接続されたサーバを有することを特徴とする画像表示システム
【請求項１９】
前記サーバは、前記データを記憶する記憶部を備えることを特徴とする請求項１８に記載の画像表示システム。
【請求項２０】
前記サーバは、前記フォルダに入れられたデータをサーバから読み出すための特定情報と、フォルダ名とを対応付けたテーブルを記憶する記憶部を備えることを特徴とする請求項１８又は１９に記載の画像表示システム。
【請求項２１】
前記サーバは、前記一覧を作成する一覧作成部を備えることを特徴とする請求項１８〜２０のいずれか一項に記載の画像表示システム。
【発明の詳細な説明】
【技術分野】
【０００１】
本発明は、患者の簡易画像の一覧が表示される表示装置及び画像表示システムに関する。
【背景技術】
【０００２】
サーバ（ｓｅｒｖｅｒ）とネットワーク（Ｎｅｔｗｏｒｋ）を介して接続され、このサーバに記憶された医療用データに基づく画像を表示する表示装置が、例えば特許文献１に記載されている。
【０００３】
前記サーバに記憶された医療用データは、例えばＸ線ＣＴ（Ｃｏｍｐｕｔｅｄ  Ｔｏｍｏｇｒａｐｈｙ）装置で撮影されたＸ線ＣＴ画像やＭＲＩ（Ｍａｇｎｅｔｉｃ  Ｒｅｓｏｎａｎｃｅ  Ｉｍａｇｉｎｇ）装置で撮影されたＭＲＩ画像などの医用画像のデータである。この他、前記医療用データには、診療情報提供書など病院内で用いられる紙の文書がスキャン（ｓｃａｎ）されてデータ化されたものなども含まれる。
【先行技術文献】
【特許文献】
【０００４】
【特許文献１】特開２０１０−１８２０１８号公報
【発明の概要】
【発明が解決しようとする課題】
【０００５】
ところで、病院を訪れる患者について、非常に多くの医用画像や文書が作成されそのデータが保存されている場合がある。操作者は、診断などを行なう場合、その中から、目的に応じて関連のある医用画像や文書を見つけ出すことが必要である。また、ある患者について、医療用データの作成頻度などの履歴を知りたい場合もある。そこで、本願発明者は、これらの要請を満たすように、医用画像や文書をマトリクス状に配置した一覧を表示する表示装置を提案している。この一覧では、例えば行方向（横方向）において、同じ日付の医用画像や文書のサムネイル（ｔｈｕｍｂｎａｉｌ）が配置され、列方向（縦方向）において同じ文書種のサムネイルが配置される。
【０００６】
上述の簡易画像の一覧は、一覧性に優れているが、操作者が意図する観点で医療用データを管理することが困難である。従って、一覧の中から、目的に応じて簡易画像を分類して整理することができれば、操作者が、所望の画像を容易に見つけることができ、便利である。このようなことから、データの一覧性を確保しつつ、操作者が意図する観点でデータを整理することができる表示装置及び画像表示システムが望まれている。
【課題を解決するための手段】
【０００７】
上述の課題を解決するためになされた一の観点の発明は、医療用のデータに基づく画像がマトリクス状に配置された一覧が表示される表示部を備え、この表示部には、前記医療用のデータのうち、フォルダに入れられたデータに基づく画像であることを示すインジケータが表示されることを特徴とする表示装置である。
【０００８】
また、他の観点の発明は、複数の属性の付随情報をメタデータとして有するデータに基づく画像の一覧であって、前記画像が、行方向において一の属性の付随情報毎に配置されるとともに、列方向において他の属性の付随情報毎に配置されたマトリクス状の一覧が表示される表示部を備え、この表示部には、前記データのうち、フォルダに入れられたデータに基づく画像であることを示すインジケータが表示されることを特徴とする表示装置である。
【発明の効果】
【０００９】
上記観点の発明によれば、前記一覧を構成する画像のデータをフォルダに入れられるので、操作者が意図する観点で、データを整理することができ、なおかつ前記一覧が表示されることによってデータの一覧性を確保することができる。また、前記インジケータが表示されるので、フォルダに入れられたデータに基づく画像であることを把握できる。
【図面の簡単な説明】
【００１０】
【図１】実施形態に係る画像表示システムのブロック図である。
【図２】一覧が表示された表示部の表示画面を示す図である。
【図３】簡易画像のフォルダへの保存を説明するフローチャートである。
【図４】図３に示すステップＳ１の処理の詳細を示すフローチャートである。
【図５】第一操作ボタンがクリックされた状態の表示画面を示す図である。
【図６】フォルダブラウザウィンドウが表示された表示画面を示す図である。
【図７】テーブルの一例を示す図である。
【図８】新しく「６月」フォルダが作成されたフォルダブラウザウィンドウが表示された表示画面を示す図である。
【図９】「６月」フォルダが追加された後のテーブルを示す図である。
【図１０】サブウィンドウが表示された表示画面を示す図である。
【図１１】６月のカンファレンスで使用する簡易画像を「６月」フォルダに入れる時の動作を説明する図である。
【図１２】「６月」フォルダのＵＩＤ欄にＵＩＤが書き込まれた状態のテーブルを示す図である。
【図１３】フォルダビューワを示す図である。
【図１４】フォルダブラウザウィンドウが表示された表示画面を示す図である。
【図１５】「８月」フォルダが作成された後のフォルダブラウザウィンドウが表示された表示画面を示す図である。
【図１６】「８月」フォルダが追加された後のテーブルを示す図である。
【図１７】「６月」フォルダのサブウィンドウが表示された表示画面を示す図である。
【図１８】８月のカンファレンスで使用する簡易画像を「８月」フォルダに入れる時の動作を説明する図である。
【図１９】「８月」フォルダのＵＩＤ欄にＵＩＤが書き込まれた状態のテーブルを示す図である。
【図２０】フォルダビューワを示す図である。
【図２１】図２０に示されたフォルダビューワにおいて、患者名がクリックされた状態を示す図である。
【図２２】実施形態に係る画像表示システムの他例を示すブロック図である。
【発明を実施するための形態】
【００１１】
以下、本発明の実施形態について図面に基づいて詳細に説明する。図１に示す画像表示システム１は、ネットワークＮを介して接続されたサーバ２と表示端末３とを備えている。前記画像表示システム１は、医療に関する画像を表示するシステムである。前記サーバ２には、ネットワークＮを介して部門システム４が複数接続されている。前記画像表示システム１は、本発明に係る画像表示システムの実施の形態の一例である。また、前記表示端末３は、本発明に係る表示装置の実施の形態の一例である。
【００１２】
前記サーバ２は、記憶部２１、表示データ作成部２２及びデータ出力部２３を有している。前記記憶部２１は、例えばＨＤＤ（Ｈａｒｄ  Ｄｉｓｋ  Ｄｒｉｖｅ）などである。前記記憶部２１には、前記各部門システム４から前記ネットワークＮを介して前記サーバ２に入力された医療用データなどが記憶されている。前記サーバ２は、本発明におけるサーバの実施の形態の一例であり、前記記憶部２１は、本発明における記憶部の実施の形態の一例である。
【００１３】
前記記憶部２１に記憶されている医療用データは、医療提供施設や検体検査を行なう検査施設などにおいて作成される患者に関係するデータであり、医用画像データ、文書データ、数値データなどである。前記医療用データは、本発明における医療用のデータの実施の形態の一例である。
【００１４】
前記医用画像データは、前記部門システム４のモダリティ等で取得されたデータであり、例えばＸ線ＣＴ画像、ＭＲＩ画像、超音波画像などの画像データである。前記文書データは、例えば読影レポート、診療情報提供書、手術同意書や検査同意書などの同意書、問診票、申込書、検査結果などのデータである。文書データには、紙の文書をスキャンしてデータ化されたＰＤＦ（Ｐｏｒｔａｂｌｅ  Ｄｏｃｕｍｅｎｔ  Ｆｏｒｍａｔ）データなども含まれる。また、前記数値データは、患者に関する数値のデータであり、例えば検査結果を示す数値のデータである。
【００１５】
前記医療用データには、上述において列記された前記医用画像データ、前記文書データ及び前記数値データの他、心電図などの患者の生体情報の経過記録、その他患者に関係する記録のデータなども含まれる。
【００１６】
前記医療用データは、データ本体の他にメタデータ（ｍｅｔａｄａｔａ）を含んでいる。メタデータは、例えば患者の氏名、患者ＩＤ、日付、文書種、文書分類、依頼科など、複数の属性の付随情報からなる。ここで、「付随情報」という語は、具体的な氏名、日付、文書種、文書分類、依頼科を意味し、属性は、これら付随情報の属性を意味する。例えば、「文書種」という属性の付随情報は、「ＣＴ」、「ＭＲＩ」などであり、「依頼科」という属性の付随情報は、「放射線科」、「循環器科」などである。メタデータは、属性の情報（例えば、「文書種」という情報）と、その属性の具体的な情報（すなわち付随情報、例えば「ＣＴ」という情報）とを含む概念である。
【００１７】
また、前記メタデータには、Ｕｎｉｑｕｅ  ＩＤ（以下、「ＵＩＤ」と云う）が含まれる。このＵＩＤは、医療用データを識別するための情報である。
【００１８】
前記メタデータには、例えばＸ線ＣＴ装置等のモダリティ（ｍｏｄａｌｉｔｙ）など、前記部門システム４において自動的に付与されるものと、操作者が入力することにより付与されるものとが含まれる。
【００１９】
メタデータにおける日付は、例えば医療用データの作成日である。メタデータにおける日付には、日のみならず、年や時刻などが含まれていてもよい。医用画像データであれば、撮影日を作成日としてもよい。また、文書データであれば、文書を作成した日が作成日であってもよいし、文書をスキャンしてデータ化した日が作成日であってもよい。
【００２０】
また、前記メタデータにおける文書種は、医療用データの種類を示す情報であり、例えばＭＲＩ（Ｍａｇｎｅｔｉｃ  Ｒｅｓｏｎａｎｃｅ  Ｉｍａｇｉｎｇ）、ＵＳ（Ｕｌｔｒａｓｏｕｎｄ）などの医用画像の種類や、入院同意書、入院申込書、入院問診票、検査同意書、手術同意書などの文書の種類を示す情報である。また、前記メタデータにおける文書分類は、例えば同意書など、文書種の上位の概念を示す情報である。
【００２１】
また、前記メタデータにおける依頼科は、例えば放射線科、循環器科など、医療用データの作成を依頼した科を示す情報である。
【００２２】
前記メタデータにおける属性は、予め決められていてもよい。また、予め決められている場合でも、属性の追加や削除を行なうことができるようになっていてもよい。
【００２３】
また、前記記憶部２１には、後述するように、フォルダに入れられた簡易画像Ｍの医療用データのＵＩＤと、フォルダ名とを対応付けるテーブルＴＡが記憶される。
【００２４】
前記表示データ作成部２２は、前記表示端末３に表示される画像のデータを作成する。例えば、前記表示データ作成部２２は、前記記憶部２１に記憶された医療用データに基づく同一患者の簡易画像Ｍの一覧Ｘのデータを作成する。前記一覧Ｘは、後述するように前記表示端末３に表示される（例えば図２参照）。前記表示データ作成部２２は、本発明における一覧作成部の実施の形態の一例である。
【００２５】
また、前記表示データ作成部２２は、前記表示端末３に表示されるフォルダビューワＦＶのデータを作成する（例えば図６参照）。フォルダビューワＦＶについては後述する。
【００２６】
前記データ出力部２３は、前記表示端末３の要求に応じて、前記サーバ２から前記表示端末３へデータを出力する。
【００２７】
図１では、前記表示データ作成部２２及び前記データ出力部２３は、前記医療用データが記憶された記憶部２１と同一のサーバに設けられているが、前記表示データ作成部２２及び前記データ出力部２３は、前記記憶部２１とは異なるサーバに設けられていてもよい。
【００２８】
前記表示端末３は、例えば汎用型のパーソナルコンピュータ（Ｐｅｒｓｏｎａｌ  Ｃｏｍｐｕｔｅｒ）である。また、前記表示端末３は、タブレット（ｔａｂｌｅｔ）型のコンピュータであってもよい。前記表示端末３は、表示部３１、制御部３２、入力部３３、記憶部３４を有している。
【００２９】
前記表示部３１は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）などである。前記表示部３１は、本発明における表示部の実施の形態の一例である。
【００３０】
前記制御部３２は、データ要求部３２１、表示制御部３２２、テーブル作成部３２３を有している。前記データ要求部３２１は、前記入力部３３における操作者の入力に基づいて、前記サーバ２へ前記一覧Ｘのデータなどを要求する信号を出力する。
【００３１】
前記表示制御部３２２は、前記表示部３１の表示画面３１ａに画像を表示させる。例えば、前記表示制御部３２２は、前記サーバ２から入力された前記一覧Ｘのデータに基づいて、図２に示すように、前記一覧Ｘを前記表示部３１の表示画面３１ａに表示させる。図２において前記表示部３１に表示された一覧Ｘは、前記表示データ作成部２２によって作成された一覧Ｘのうち、一部である。
【００３２】
前記一覧Ｘは、付随情報の表示欄Ｃ１，Ｃ２と簡易画像の表示欄Ｃ３とを含む。これら付随情報の表示欄Ｃ１，Ｃ２及び簡易画像の表示欄Ｃ３は、複数の升目ＣＥで構成されている。前記付随情報の表示欄Ｃ１は、前記一覧Ｘにおいて、行方向（横方向）に並んだ一番上の行を構成する升目ＣＥで構成されている。また、前記付随情報の表示欄Ｃ２は、前記一覧Ｘにおいて、列方向（縦方向）に並んだ一番左の列を構成する升目ＣＥで構成されている。
【００３３】
前記表示制御部３２２は、前記付随情報の表示欄Ｃ１に、同一の属性の付随情報を表示させる。また、前記表示制御部３２２は、前記付随情報の表示欄Ｃ２にも、同一の属性の付随情報を表示させる。そして、前記付随情報の表示欄Ｃ１と前記付随情報の表示欄Ｃ２とでは、異なる属性の付随情報が表示される。図２では、前記付随情報の表示欄Ｃ１に文書種が表示され、前記付随情報の表示欄Ｃ２に日付（年月日）が表示されている。前記付随情報の表示欄Ｃ１に表示される付随情報は、本発明における一の属性の付随情報の実施の形態の一例である。また、前記付随情報の表示欄Ｃ２に表示される付随情報は、本発明における他の属性の付随情報の実施の形態の一例である。
【００３４】
前記付随情報の表示欄Ｃ１，Ｃ２の属性は、操作者が前記入力部３３を用いた入力操作を行なうことにより、変更することができるようになっていてもよい。
【００３５】
また、前記簡易画像の表示欄Ｃ３には、前記記憶部２１に記憶された医療用データに基づく簡易画像Ｍが表示される。簡易画像Ｍはサムネイル画像などである。前記簡易画像Ｍのデータは、前記サーバ２の表示データ作成部２２によって作成される。前記簡易画像Ｍは、本発明におけるデータに基づく画像の実施の形態の一例である。
【００３６】
前記表示データ作成部２２による前記簡易画像Ｍの作成について説明する。前記簡易画像の表示欄Ｃ３に表示される簡易画像Ｍが、前記医用画像データに基づく医用画像である場合、一検査において発生する複数枚の医用画像データの中から選ばれた一枚の医用画像データが選ばれる。一検査において発生する複数枚の医用画像データのうち、最初のデータや中間のデータなどが自動的に選ばれてもよい。そして、選ばれた一枚の医用画像データが、一覧Ｘにおいて表示するために適切なサイズ（ｓｉｚｅ）に変換される。このサイズは、一覧性を維持した状態で表示画面３１ａ上に配置できる程度のサイズである（例えば、６４×６４ピクセル（ｐｉｘｅｌ）、９６×９６ピクセルなど）。このようにして変換された医用画像データに基づく簡易画像Ｍが前記簡易画像の表示欄Ｃ３を構成する升目ＣＥに表示される。
【００３７】
また、前記簡易画像Ｍが文書データに基づく画像である場合において、もしも文書データが複数枚の文書のデータであれば、例えば一枚目の文書のデータが選ばれ、この選ばれたデータが、上述と同様に適切なサイズに変換される。そして、変換されたデータに基づく簡易画像Ｍが、前記簡易画像の表示欄Ｃ３に表示される。
【００３８】
また、簡易画像Ｍとして表示される医療用データが数値データである場合、この数値データの内容を示す画像が作成され、この画像が簡易画像Ｍとして表示される。例えば、数値データの内容を示す画像は、数値データの内容を示す文字からなる画像である。数値データの内容を示す文字は、検査名を示す文字などである。
【００３９】
前記簡易画像の表示欄Ｃ３に表示された簡易画像Ｍを、操作者が前記入力部３３を用いてクリックすることにより、前記表示制御部３２２は、クリックされた簡易画像Ｍが作成された元の医療用データに基づく画像（原画像）を表示させる。この医療用データは、前記サーバ２から取得される。具体的には、先ず前記データ要求部３２１が、クリックされた簡易画像Ｍの元の医療用データを前記サーバ２に対して要求する。この要求には、前記元の医療用データのＵＩＤが含まれる。前記サーバ２においては、要求された医療用データが、前記表示端末３から入力された前記ＵＩＤに基づいて前記記憶部２１から読み出され、前記データ出力部２３によって前記表示端末３へ出力される。
【００４０】
前記付随情報の表示欄Ｃ１を構成する升目ＣＥには、前記簡易画像の表示欄Ｃ３の縦方向（列方向）における付随情報が表示される。また、前記付随情報の表示欄Ｃ２を構成する升目ＣＥには、前記簡易画像の表示欄Ｃ３の横方向（行方向）における付随情報が表示される。前記簡易画像の表示欄Ｃ３においては、マトリックス（Ｍａｔｒｉｘ）状に簡易画像Ｍが配置されている。前記簡易画像の表示欄Ｃ３において、列方向においては、前記付随情報の表示欄Ｃ１を構成する升目ＣＥに表示された付随情報を有する簡易画像Ｍが配置され、行方向においては、前記付随情報の表示欄Ｃ２を構成する升目ＣＥに表示された付随情報を有する簡易画像Ｍが配置される。前記一覧Ｘにおいては、前記付随情報の表示欄Ｃ１及び前記付随情報の表示欄Ｃ２の二つの付随情報から特定される位置に前記簡易画像Ｍが配置されている。
【００４１】
具体的に図２においては、各文書種の簡易画像Ｍが列方向に並び、各日付の簡易画像Ｍが行方向に並んだ一覧Ｘが表示されている。一例をあげて説明すると、前記表示制御部３２２は、簡易画像の表示欄Ｃ３において、前記付随情報の表示欄Ｃ１のうち「ＣＴ」と表示された升目ＣＥの列に、付随情報としてＣＴ画像を示す情報を有する医療用データに基づく簡易画像Ｍ（ＣＴ画像を示すサムネイル画像）を表示させる。また、前記表示制御部３２２は、簡易画像の表示欄Ｃ３において、例えば前記付随情報の表示欄Ｃ２のうち「２０１２／５／１８」と表示された升目ＣＥの行に、付随情報として２０１２年５月１８日の日付情報を有する医療用データに基づく簡易画像Ｍを表示させる。このように、前記表示制御部３２２は、前記簡易画像Ｍが、行方向に一の属性の付随情報毎に配置されるとともに、列方向に他の属性の付随情報毎に配置された前記一覧Ｘを表示させる。
【００４２】
ちなみに、前記表示データ作成部２２は、前記付随情報の表示欄Ｃ１，Ｃ２の属性が変更された場合、変更された属性の付随情報が前記付随情報の表示欄Ｃ１，Ｃ２に表示され、なおかつ変更に合わせて前記簡易画像Ｍが再配置された一覧Ｘのデータを作成する。
【００４３】
前記一覧Ｘは、前記入力部３３によってドラッグ（ｄｒａｇ）操作を行なうことによってスクロール（ｓｃｒｏｌｌ）することができる。前記表示部３１が、タッチパネル（ｔｏｕｃｈ  ｐａｎｅｌ）式のディスプレイである場合、操作者が指でドラッグ操作又はフリック（ｆｌｉｃｋ）操作を行なうことによって、前記一覧Ｘをスクロールすることができる。
【００４４】
前記一覧Ｘが表示されることにより、操作者は、ある患者について医療用データの作成履歴を一目見て把握することができる。このように、前記一覧Ｘは、医療用データの一覧性に優れているので、操作者は、患者の来院の頻度などを容易に把握することができる。
【００４５】
前記一覧Ｘを構成する簡易画像Ｍには、操作者による前記入力部３３の入力によってフォルダに入れられた医療用データに基づく簡易画像Ｍが含まれる。詳細は後述する。
【００４６】
前記テーブル作成部３２３は、後述するようにフォルダ名と医療用データのＵＩＤとを対応付けるテーブルＴＡを作成する。
【００４７】
前記入力部３３は、キーボード（ｋｅｙｂｏａｒｄ）やマウス（ｍｏｕｓｅ）などで構成されている。前記入力部３３は、本発明における入力部の実施の形態の一例である。
【００４８】
前記記憶部３４は、例えばＨＤＤ、又はＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などの半導体メモリである。
【００４９】
前記部門システム４は、例えばＸ線ＣＴ装置やＭＲＩ装置等のモダリティなどを含む放射線科情報システム（ＲＩＳ：Ｒａｄｉｏｌｏｇｙ  Ｉｎｆｏｒｍａｔｉｏｎ  Ｓｙｓｔｅｍ）や臨床検査システムなどの病院内における部門システムである。
【００５０】
次に、本例の画像表示システム１の作用について説明する。本例の画像表示システム１によれば、操作者は、ある患者についての前記一覧Ｘを構成する簡易画像Ｍを、フォルダ（ｆｏｌｄｅｒ）を用いて整理することができる。ここでは、操作者が病院内のカンファレンス（ｃｏｎｆｅｒｅｎｃｅ）に使用する簡易画像Ｍを、フォルダを用いて整理する例について説明する。前記簡易画像Ｍは、患者Ｐについての画像であるものとする。
【００５１】
操作者は、一覧Ｘを構成する簡易画像Ｍのうち、カンファレンスに使用する簡易画像Ｍのデータをフォルダに入れる。具体的に、図３のフローチャートに基づいて説明する。先ず、ステップＳ１では、操作者は、前記表示画面３１ａに前記一覧Ｘを表示させる。このステップＳ１の詳細な処理について、図４のフローチャートに基づいて説明する。
【００５２】
図４において、先ずステップＳ１１では、操作者は、前記表示端末３の入力部３３において、一覧Ｘの表示を指示する入力や氏名やＩＤなどの患者Ｐの特定情報の入力を行なう。次に、ステップＳ１２では、前記データ要求部３２１は、特定情報が入力された前記患者Ｐに関する一覧Ｘのデータを前記サーバ２に対して要求する。この要求には、患者Ｐの特定情報が含まれる。
【００５３】
前記ステップＳ１２において、前記一覧Ｘのデータが要求されると、ステップＳ１３では、前記サーバ２の表示データ作成部２２は、一覧Ｘのデータを作成する。詳細には、先ず前記表示データ作成部２２は、前記データ要求部３２１から入力された患者Ｐの特定情報に基づいて、前記記憶部２１に記憶されている患者Ｐの全ての医療用データを特定する。この医療用データは、前記患者Ｐについて異なる時に複数作成されているものとする。そして、前記表示データ作成部２２は、特定された患者Ｐの医療用データに基づいて、前記患者Ｐについての簡易画像Ｍからなる一覧Ｘのデータを作成する。
【００５４】
次に、ステップＳ１４では、前記データ出力部２３が、前記ステップＳ１３において作成された前記一覧Ｘのデータを前記表示端末３へ出力する。次に、ステップＳ１５では、前記ステップＳ１４において、前記表示端末３へ入力された一覧Ｘのデータに基づいて、前記表示制御部３２２が前記表示画面３１ａに一覧Ｘを表示させる（図２参照）。前記表示制御部３２２は、前記一覧Ｘとともに、各種の操作ボタンＯＢ等も表示させる。
【００５５】
次に、ステップＳ２では、操作者は、前記表示部３１にフォルダブラウザウィンドウＦＢＷを表示させ、新たなフォルダを作成する。詳細に説明する。先ず、操作者は、前記入力部３３を用いて、図５に示すように、前記操作ボタンＯＢのうち、第一操作ボタンＯＢ１をカーソルＣＵによってクリックする。第一操作ボタンＯＢ１がクリックされると、前記表示制御部３２２は、図６に示すように、前記表示画面３１ａにフォルダブラウザウィンドウＦＢＷを表示させる。図６では、「カンファレンス−２０１２年−２月」フォルダが表示されたフォルダブラウザウィンドウＦＢＷが表示されている。前記フォルダブラウザウィンドウＦＢＷは、本発明において、フォルダにデータを入れる入力を行なう入力画面の実施の形態の一例である。
【００５６】
前記フォルダブラウザウィンドウＦＢＷの表示について説明する。前記第一操作ボタンＯＢ１がクリックされると、先ず前記データ要求部３２１が、フォルダブラウザウィンドウＦＢＷのデータを前記サーバ２へ要求する。次に、前記サーバ２の前記表示データ作成部２２は、前記記憶部２１に記憶されたテーブルＴＡを参照して、フォルダブラウザウィンドウＦＢＷのデータを作成する。そして、このフォルダブラウザウィンドウＦＢＷのデータが、前記データ出力部２３から前記表示端末３へ出力されると、このデータに基づいて、前記表示制御部３２２が、前記フォルダブラウザウィンドウＦＢＷを表示させる。
【００５７】
ここで、テーブルＴＡについて説明する。ここでは、「カンファレンス」フォルダが存在し、この「カンファレンス」フォルダの中の「２０１２」フォルダ内に、「２月」フォルダが存在している。このようにフォルダは本例では階層構造になっている。この「２月」フォルダには、２０１２年２月のカンファレンスで用いた簡易画像Ｍが入れられている。従って、図７に示すように、「カンファレンス−２０１２−２月」というフォルダ名とこのフォルダに入れられた医療用データのＵＩＤとを対応付けるテーブルＴＡが、前記記憶部２１に記憶されている。この図７に示すテーブルＴＡのＵＩＤ欄ＣＵＩＤには、「２月」フォルダに入れられた簡易画像Ｍの医療用データのＵＩＤ（図７では「×」印で示す）が示されている。前記ＵＩＤは、本発明において、データをサーバから読み出すための特定情報の実施の形態の一例であり、前記テーブルＴＡは、本発明におけるテーブルの実施の形態の一例である。
【００５８】
前記テーブルＴＡは、特定の患者に限定されたものではない。従って、フォルダ内には、患者Ｐ以外の異なる患者の簡易画像も存在しうる。
【００５９】
前記フォルダブラウザウィンドウＦＢＷが表示されると、操作者は「新しいフォルダの作成」ボタンＢ１を、前記入力部３３を用いてカーソルＣＵ（図６では図示省略）によってクリックし、新しいフォルダを作成する。ここでは、操作者は、「６月」のカンファレンスで使用する簡易画像Ｍをフォルダに入れるものとし、新しいフォルダとして、図８に示すように、「６月」フォルダを作成する。
【００６０】
「６月」フォルダが作成されると、前記テーブル作成部３２３は、図９に示すように、フォルダ名と医療用データのＵＩＤとを対応付けるテーブルＴＡに、「６月」を追加する。「６月」が追加された前記テーブルＴＡは、前記記憶部３４に記憶される。
【００６１】
次に、ステップＳ３では、操作者は、フォルダブラウザウィンドウＦＢＷにおける「６月」フォルダに、６月のカンファレンスで使用する簡易画像Ｍを入れる。ここで、操作者は、２月のカンファレンスで用いたＣＴ画像も「６月」フォルダに入れたいとする。操作者は、「６月」フォルダに、所望の簡易画像Ｍを入れる前に、２月のカンファレンスで使用した簡易画像Ｍを確認したい場合、図１０に示すように、サブウィンドウＳＷを表示させる。このサブウィンドウＳＷには、「カンファレンス−２０１２年−２月」フォルダに入れられた簡易画像Ｍが表示される。従って、操作者は２月のカンファレンスで用いた簡易画像Ｍを容易に確認することができる。この簡易画像Ｍがクリックされることにより、この簡易画像Ｍが作成された元の医療用データに基づく画像が表示されてもよい。
【００６２】
また、前記サブウィンドウＳＷには、２月のカンファレンスで用いた簡易画像Ｍが入れられたフォルダのフォルダ名「カンファレンス−２０１２年−２月」が表示されている。従って、操作者は、このサブウィンドウＳＷが、「カンファレンス−２０１２年−２月」フォルダの内容を示すウィンドウであることを容易に認識することができる。前記サブウィンドウＳＷは、本発明において、同じフォルダに入れられたデータに基づく画像が含まれるウィンドウの実施の形態の一例である。
【００６３】
前記サブウィンドウＳＷの表示について説明する。フォルダに入れられ整理されている簡易画像Ｍには、フォルダアイコンＦＩが表示されている。フォルダアイコンＦＩがクリックされると、前記サブウィンドウＳＷが表示される。フォルダアイコンＦＩは、このフォルダアイコンＦＩが表示された簡易画像Ｍの医療用データが、フォルダに入れられていることを示すインジケータである。言い換えれば、前記フォルダアイコンＦＩは、前記一覧Ｘの簡易画像Ｍのうち、フォルダに入れられた医療用データに基づく簡易画像Ｍを、フォルダに入れられていない簡易画像Ｍと識別しうるインジケータである。前記フォルダアイコンＦＩは、本発明におけるインジケータの実施の形態の一例である。
【００６４】
フォルダアイコンＦＩは、上述のステップＳ１３において一覧Ｘのデータが作成される際に付される。具体的には、前記表示データ作成部２２は、前記テーブルＴＡに含まれるＵＩＤを参照して、該当する簡易画像Ｍに、前記フォルダアイコンＦＩを付す。この場合、上述のステップＳ１４においては、フォルダアイコンＦＩが付された一覧Ｘのデータが前記表示端末３へ出力される。
【００６５】
前記フォルダアイコンＦＩがクリックされると、前記表示画面３１ａには、フォルダアイコンＦＩに対応するフォルダに入れられたデータの簡易画像Ｍを含むサブウィンドウＳＷが表示される。例えば、２０１２年１月１６日のＣＴ画像の簡易画像Ｍに表示されたフォルダアイコンＦＩがクリックされたとする。この２０１２年１月１６日のＣＴ画像のデータは、「２月」フォルダに入れられている。操作者は、前記サブウィンドウＳＷによって、２月のカンファレンスで使用されたＣＴ画像が、２０１２年１月１６日の画像であることを確認することができる。
【００６６】
フォルダアイコンＦＩ及び簡易画像Ｍは、フォルダ（フォルダ名）を特定するフォルダ特定情報とリンク付けされている。前記フォルダアイコンＦＩがクリックされると、前記データ要求部３２１は、前記フォルダ特定情報を前記サーバ２へ出力する。前記サーバ２の前記表示データ作成部２２は、前記表示端末３から入力されたフォルダ特定情報を参照して、前記サブウィンドウＳＷのデータを作成する。より詳細には、前記表示データ作成部２２は、前記フォルダ特定情報によって特定されたフォルダに入れられた簡易画像ＭのＵＩＤを、前記テーブルＴＡを参照して特定し、該当する簡易画像Ｍを含むサブウィンドウＳＷのデータを作成する。このサブウィンドウＳＷのデータは、前記データ出力部２３によって前記表示端末３へ出力される。前記表示制御部３２２は、前記サーバ２から入力されたデータに基づいてサブウィンドウＳＷを表示させる。
【００６７】
操作者は、２月のカンファレンスで使用された簡易画像Ｍを確認した後、２月のカンファレンスで使用したＣＴ画像の簡易画像Ｍとともに、６月のカンファレンスで使用する簡易画像Ｍを「６月」フォルダに入れる。具体的には、操作者は、図１１に示すように、「６月」フォルダに入れたい簡易画像Ｍを、前記フォルダブラウザウィンドウＦＢＷの「６月」フォルダへドラッグアンドドロップ（ｄｒａｇ  ａｎｄ  ｄｒｏｐ）する。ここでは、２０１２年１月１６日のＣＴ画像の簡易画像Ｍと、２０１２年５月１８日のＣＴ画像、ＣＴレポート、血液検査の簡易画像Ｍとが、前記入力部３３を用いたドラッグアンドドロップ操作によって、「６月」フォルダに入れられる。前記ドラッグアンドドロップ操作は、本発明において、フォルダにデータを入れる入力の実施の形態の一例である。
【００６８】
このように、操作者は、前記一覧Ｘの上に表示されたフォルダブラウザウィンドウＦＢＷにドラッグアンドドロップするだけで、所望の簡易画像Ｍを簡単にフォルダに入れることができる。
【００６９】
フォルダ内に簡易画像Ｍがドラッグアンドドロップされると、前記テーブル作成部３２３が、フォルダ名と医療用データのＵＩＤとを対応付けるテーブルを作成する。ここでは、前記テーブル作成部３２３は、図１２に示すように、「６月」フォルダに入れられた簡易画像Ｍの医療用データのＵＩＤを、前記テーブルＴＡの「６月」フォルダのＵＩＤ欄ＣＵＩＤに書き込む。これにより、「６月」フォルダとこの「６月」フォルダに入れられた簡易画像Ｍの医療用データのＵＩＤとを対応付けるテーブルＴＡが完成する（階層構造の構築）。このテーブルＴＡは、前記記憶部３４に記憶される。また、前記テーブルＴＡは、前記サーバ２へ出力され、前記記憶部２１に記憶された患者ＰについてのテーブルＴＡが更新される。
【００７０】
ちなみに、前記テーブルＴＡのＵＩＤ欄ＣＵＩＤにＵＩＤが書き込まれることにより、フォルダに簡易画像Ｍのデータが入れられたことになる。
【００７１】
以上により、カンファレンスの準備が完了する。操作者は、６月のカンファレンスにおいて、前記「６月」フォルダを開き、この「６月」フォルダ内の簡易画像Ｍに基づいて画像を表示させ、症例の説明を行なう。操作者は、前記「６月」フォルダを開くために、前記入力部３３を用いて、図１３に示すように、フォルダビューワＦＶを前記表示画面３１ａに表示させる入力を行なう。フォルダビューワＦＶには、フォルダの表示欄ＦＣと簡易画像Ｍの表示欄ＭＣとが含まれている。このフォルダビューワＦＶは、本発明において、フォルダに入れられたデータに基づく画像とフォルダとを含む画像の実施の形態の一例である。
【００７２】
前記フォルダビューワＦＶの表示について説明する。前記入力部３３において前記フォルダビューワＦＶを表示させる入力があると、前記データ要求部３２１は、フォルダビューワＦＶのデータを前記サーバ２へ要求する。表示データ作成部２２は、前記記憶部２１に記憶されたテーブルＴＡを参照して、フォルダに入れられた簡易画像Ｍを含むフォルダビューワＦＶのデータを作成する。前記表示データ作成部２２は、前記テーブルＴＡに含まれるＵＩＤを有する医療用データに基づいて、前記フォルダビューワＦＶに含まれる簡易画像Ｍのデータを作成する。
【００７３】
また、前記表示データ作成部２２は、簡易画像Ｍが患者ごとに分類されたフォルダビューワＦＶのデータを作成する。前記表示データ作成部２２は、前記テーブルＴＡに含まれるＵＩＤを有するメタデータに基づいて患者の氏名又は患者ＩＤを特定し、簡易画像Ｍを患者ごとに分類する。図１３では、患者Ｐ、患者Ｑ、患者Ｒの簡易画像Ｍが分類されて前記簡易画像の表示欄ＭＣに表示されている。
【００７４】
操作者は、フォルダの表示欄ＦＣの「６月」フォルダを選択することにより、「６月」フォルダに入れられた簡易画像Ｍを前記簡易画像の表示欄ＭＣに表示させる。そして、操作者は、この簡易画像の表示欄ＭＣに表示された簡易画像Ｍをクリックすることにより、特に図示しないが、前記サーバ２の記憶部２１に記憶された医療用データ（クリックされた簡易画像Ｍが作成された元のデータ）に基づく画像（原画像）を前記表示画面３１ａに表示させ、症例の説明を行なうことができる。その際、操作者は、２月のカンファレンスで用いたＣＴ画像と、今回新たに得られた２０１２年５月１８日のＣＴ画像とを比較して説明することができる。
【００７５】
ちなみに、簡易画像Ｍがクリックされると、その簡易画像ＭのＵＩＤが前記サーバ２へ出力される。サーバ２のデータ出力部２３は、前記表示端末３から入力されたＵＩＤの医療用データを前記表示端末３へ出力する。これにより、医療用データに基づく原画像が前記表示部３１に表示される。
【００７６】
次に、６月のカンファレンスの後に行われる８月のカンファレンスに向けた準備について説明する。この８月のカンファレンスに向けた準備も、上述の６月のカンファレンスに向けた準備と同様に、図３及び図４のフローチャートと基本的に同一の処理によって行なわれる。ただし、図３のステップＳ２では、図１４に示すように、「２月」フォルダ及び「６月」フォルダを有するフォルダブラウザウィンドウＦＢＷが表示される。そして、操作者は、このフォルダブラウザウィンドウＦＢＷにおいて、「新しいフォルダの作成」ボタンＢ１をクリックして、図１５に示すように、新しく「８月」フォルダを作成する。
【００７７】
「８月」フォルダが作成されると、前記テーブル作成部３２３は、図１６に示すように、前記テーブルＴＡに、「８月」を追加する。「８月」が追加された前記テーブルＴＡは、前記記憶部３４に記憶される。
【００７８】
ここで、操作者は、８月のカンファレンスで使用する簡易画像Ｍに、２月及び６月のカンファレンスで使用したＣＴ画像も含めたいものとする。操作者は、前記ステップＳ３において、８月のカンファレンスで用いる簡易画像Ｍを「８月」フォルダに入れる前に、前記フォルダアイコンＦＩをクリックして、前記サブウィンドウＳＷを表示させる。操作者は、「２月」フォルダに入れられた簡易画像Ｍに表示されたフォルダアイコンＦＩをクリックすることにより、「２月」フォルダに入れられた簡易画像Ｍが表示されたサブウィンドウＳＷを表示させる。また、操作者は、「６月」フォルダに入れられた簡易画像Ｍに表示されたフォルダアイコンＦＩをクリックすることにより、「６月」フォルダに入れられた簡易画像Ｍが表示されたサブウィンドウＳＷを表示させる。これにより、操作者は、各フォルダの簡易画像Ｍを確認することができる。図１７では、「６月」フォルダに入れられた簡易画像Ｍが表示されたサブウィンドウＳＷが表示されている。
【００７９】
ちなみに、「２月」フォルダ及び「６月」フォルダの両方に入れられた簡易画像Ｍに表示されたフォルダアイコンがクリックされると、「２月」フォルダに入れられた簡易画像Ｍが表示されたサブウィンドウＳＷと、「６月」フォルダに入れられた簡易画像Ｍが表示されたサブウィンドウＳＷとが両方表示されてもよい。
【００８０】
なお、図１４、図１５及び図１７に示された前記一覧Ｘにおいては、「２月」フォルダ及び「６月」フォルダに入れられた簡易画像Ｍに、フォルダアイコンＦＩが表示されている。
【００８１】
操作者は、前記サブウィンドウＳＷによって簡易画像Ｍを確認した後、図１８に示すように、８月のカンファレンスで使用する簡易画像Ｍを、ドラッグアンドドロップして「８月」フォルダに入れる。「８月」フォルダ内に簡易画像Ｍがドラッグアンドドロップされると、前記テーブル作成部３２３は、図１９に示すように、ドラッグアンドドロップされた簡易画像Ｍの医療用データのＵＩＤを、図１９に示すように、前記テーブルＴＡの「８月」フォルダのＵＩＤ欄ＵＩＤに書き込む。
【００８２】
８月のカンファレンスにおいては、操作者は、図２０に示すようにフォルダビューワＦＶを表示させて、「８月」フォルダを選択する。これにより、簡易画像の表示欄ＭＣには、「８月」フォルダに入れられた簡易画像Ｍが表示される。操作者は、特に図示しないが、所望の簡易画像Ｍをクリックして画像を表示させ、症例の説明を行なう。
【００８３】
この８月のカンファレンスにおいて、「２月」フォルダにのみ存在するデータについて質問があった場合、操作者は、フォルダの表示欄ＦＣの「２月」フォルダを選択して、「２月」フォルダに入れられた簡易画像Ｍを、簡易画像の表示欄ＭＣに表示させる。操作者は、この簡易画像の表示欄ＭＣにおいて、該当する簡易画像Ｍをクリックして画像を表示させ説明する。
【００８４】
また、カンファレンスにおいて、フォルダに入れられていない簡易画像Ｍについて質問があった場合、操作者は、前記表示端末３に前記一覧Ｘを表示させる。具体的には、前記フォルダビューワＦＶの簡易画像の表示欄ＭＣにおいて、図２１に示すように、操作者が、所望の患者名（ここでは患者Ｐ）をカーソルＣＵによってクリックすることにより、その患者の一覧Ｘを表示させることができる。
患者名がクリックされることにより、前記データ要求部３２１は、クリックされた患者の患者ＩＤの情報を前記サーバ２へ出力する。そして、上述のステップＳ１２〜Ｓ１５の処理に従って一覧Ｘが前記表示画面３１ａに表示される。
【００８５】
前記一覧Ｘにおいて、フォルダに入れられていない簡易画像Ｍには、フォルダアイコンＦＩが表示されていないので、フォルダアイコンＦＩが表示されていない簡易画像Ｍの中から、質問に答えるための簡易画像Ｍを探す。前記一覧Ｘに、前記フォルダアイコンＦＩが表示されることにより、操作者は、フォルダに入れられた簡易画像Ｍとそれ以外の簡易画像Ｍとを容易に区別することができる。従って、所望の簡易画像Ｍを前記一覧Ｘにおいて容易に見つけることができる。
【００８６】
本例の画像表示システム１及び表示端末３によれば、ある患者についての多量の医療用データの一覧性を確保しつつ、操作者が意図する観点で、フォルダによって医療用データを整理することができるので、所望の画像を容易に見つけることができる。
【００８７】
以上、本発明を前記実施形態によって説明したが、本発明はその主旨を変更しない範囲で種々変更実施可能なことはもちろんである。例えば、上記実施形態では、医療用データに基づく簡易画像の一覧が表示される例について説明したが、本発明は、医療用データに限られるものではない。本発明は、複数の属性の付随情報をメタデータとして有するデータに基づく簡易画像の一覧が表示される表示装置及び画像表示システムに適用することができる。ただし、前記一覧は、簡易画像が、列方向において一の属性の付随情報毎に配置されるとともに、行方向において他の属性の付随情報毎に配置される一覧であることを要する。
【００８８】
また、前記表示端末３に設けられたテーブル作成部３２３の代わりに、図２２に示すように、前記サーバ２にテーブル作成部２４が設けられていてもよい。この場合、フォルダ内に簡易画像Ｍがドラッグアンドドロップされると、その簡易画像ＭのＵＩＤが前記サーバ２へ出力され、テーブルＴＡのＵＩＤ欄ＣＵＩＤに書き込まれる。
【符号の説明】
【００８９】
１  画像表示システム
２  サーバ
３  表示端末（表示装置）
２１  記憶部
２２  一覧作成部
３１  表示部
３３  入力部
３４  記憶部
３２２  表示制御部
３２３  テーブル作成部
Ｘ  一覧
Ｍ  簡易画像
ＦＢＷ  フォルダブラウザウィンドウ（入力画面）
ＳＷ  サブウィンドウ（ウィンドウ）
ＦＩ  フォルダアイコン（インジケータ）
【図１】
2014130396.tif 000003
【図２】
2014130396.tif 000004
【図３】
2014130396.tif 000005
【図４】
2014130396.tif 000006
【図５】
2014130396.tif 000007
【図６】
2014130396.tif 000008
【図７】
2014130396.tif 000009
【図８】
2014130396.tif 000010
【図９】
2014130396.tif 000011
【図１０】
2014130396.tif 000012
【図１１】
2014130396.tif 000013
【図１２】
2014130396.tif 000014
【図１３】
2014130396.tif 000015
【図１４】
2014130396.tif 000016
【図１５】
2014130396.tif 000017
【図１６】
2014130396.tif 000018
【図１７】
2014130396.tif 000019
【図１８】
2014130396.tif 000020
【図１９】
2014130396.tif 000021
【図２０】
2014130396.tif 000022
【図２１】
2014130396.tif 000023
【図２２】
2014130396.tif 000024